(57)【要約】【課題】        口金部を前記塗布棒の先端部に設けブラシに前記した液状化粧料を適量付着し取り出す液状化粧料容器において、繰り返し使用してもブラシを形成する筆毛に折れや捻れが発生することなく使用できる液状化粧料容器を提供する。【解決手段】  口金がキャップから固着垂下する塗布棒の軸線中心に回転可能にし、ブラシを形成するかまたは口金を固定した塗布棒がキャップ内側の軸線中心に回転可能にすることでブラシを形成する筆毛の塑性変形を防止する。さらに口金の先端の内面および外面の角部をＲ面取りする又は、ブラシの外周をプラスチックの保護チューブで被覆する又は弾性材をブラシの外周に浸漬、注型し巻き込み等による筆毛の塑性変形を防止する。【選択図】図１
2008022951.tif 000002
【特許請求の範囲】
【請求項１】
キャップの内側中心に垂下した塗布棒と、筒状の金属又はプラスチックで形成される口金部と、該口金部に装着固定される無数の筆毛からなるブラシと、粘性の高い液状化粧料を収納するボトルとを有し、該口金部を前記塗布棒の先端部に設けブラシに前記した液状化粧料を適量付着し取り出す液状化粧料容器において、前記した口金が塗布棒の軸線中心に回転可能にしたことを特徴とする液状化粧料容器。
【請求項２】
キャップの内側中心に垂下した塗布棒と、筒状の金属又はプラスチックで形成される口金部と、該口金部に装着固定される無数の筆毛からなるブラシと、粘性の高い液状化粧料を収納するボトルとを有し、該口金部を前記塗布棒の先端部に設けブラシに前記した液状化粧料を適量付着し取り出す塗布部を有する液状化粧料容器において、前記した口金を固定した塗布棒がキャップ内側の軸線中心に回転可能にしたことを特徴とする液状化粧料容器。
【請求項３】
前記口金の先端面の内面および外面の角部がＲ形状に面取りされ筆毛の塑性変形を防止することを特徴とする請求項１、２記載の液状化粧料容器。
【請求項４】
前記ブラシと口金の間に肉薄の保護チューブを配設し、該チューブの先端を口金の先端より若干突出させ筆毛の塑性変形を防止することを特徴とする請求項１、２記載の液状化粧料容器。
【請求項５】
前記ブラシの基端側外周に浸漬あるいは注型など一体成形したウレタンゴム、シリコンゴムなどの弾性材を配設すると共に該弾性材の先端を口金の先端より若干突出させ筆毛の塑性変形を防止することを特徴とする請求項１、２記載の液状化粧料容器。
【請求項６】
前記口金部が塗布棒と一体に成形されたことを特徴とする請求項２記載の液状化粧料容器。
【発明の詳細な説明】
【技術分野】
【０００１】
本発明は口紅、リップグロス、アイライナー、マニュキュアなどの液状化粧料を塗布する液状化粧料容器に関するものである。
【背景技術】
【０００２】
口紅、リップグロス、アイライナー、マニュキュアなどにブラシを使用すると塗り心地が良いにもかかわらず殆んど植毛チップが利用されている。その原因は液状化粧料容器にブラシを抜き差しする途中で折れ毛が発生するものであった。
【０００３】
そこで特許文献１に示されるように筆毛を束ねたブラシの外径を払拭穴の径よりも小さくし、筆軸の容器口部への挿入の際に筆毛がワイパーと干渉しない液体化粧料塗布具が提案されていた。さらに特許文献２に示されるようにブラシをボトル内に挿入する際、ブラシを形成する筆毛がボトルの入り口に設けられた口金等に引っかかりにくい形状にした液状化粧料容器が提案された。
【０００４】
しかし、ブラシの外径を払拭穴の径よりも小さくしても払拭穴は液状化粧料を収納するボトル内に塗布棒を挿入する際、口金等により筆毛を巻き込んでしまった場合、巻き込んだ筆毛を口金とワイパーとの間に挟み込んで折り曲げてしまう不具合をなくすことができないでいた。
【０００５】
そのため特許文献３、特許文献４に示されるようにブラシを構成する筆毛が口金とワイパーとの間に挟み込まれた場合でも筆毛に局部的な変形を避けることで折れ毛の発生を防止する液状化粧料容器、化粧用塗布具が提案された。
【０００６】
【特許文献１】特開２００３−１６９７１３号公報
【特許文献２】特開２００６−０４３１４０号公報
【特許文献３】特開２００６−０４３１４１号公報
【特許文献４】特願２００６−１２１５８９号
【発明の開示】
【発明が解決しようとする課題】
【０００７】
特に最近の液状口紅やリップグロスは粘度が高くなる傾向にある。そのためブラシを液状化粧料に浸漬しキャップを閉めるため回転させると液状化粧料中でブラシも回転する。ブラシが粘度の高い液中で回転するとブラシに軽い折れ曲がりや捻りが生じ、その形状が維持され放置すると癖がついてしまい使用不可能になってしまう問題が生じていた。
【０００８】
本発明は上記問題点に鑑みてなされたものである。そしてその目的とするところは繰り返し使用しても、ブラシを形成する筆毛に折れや捻れ等の塑性変形を発生することなく使用できる液状化粧料容器を提供しようとするものである。
【課題を解決するための手段】
【０００９】
本発明はキャップの内側中心に垂下した塗布棒と、筒状の金属又はプラスチックで形成される口金部と、口金部に装着固定される無数の筆毛からなるブラシと、粘性の高い液状化粧料を収納するボトルとを有し、口金部を塗布棒の先端部に設けブラシに液状化粧料を適量付着し取り出す液状化粧料容器において、口金が塗布棒の軸線中心に液状化粧料中でも空転可能にし、ブラシを形成する筆毛の塑性変形を防止するものである。
【００１０】
またキャップの内側中心に垂下した塗布棒と、筒状の金属又はプラスチックで形成される口金部と、口金部に装着固定される無数の筆毛からなるブラシと、粘性の高い液状化粧料を収納するボトルとを有し、口金部を塗布棒の先端部に設けブラシに液状化粧料を適量付着し取り出す塗布部を有する液状化粧料容器において、口金を固定した塗布棒がキャップ内側の軸線中心に液状化粧料中でも空転可能にし、ブラシを形成する筆毛の捻れ変形を防止するものも良い。
【００１１】
ここで口金の先端面の内面および外面の角部がＲ形状に面取りされ筆毛の折れ変形を防止することも良い。
【００１２】
またブラシと口金の間に肉薄の保護チューブを配設し、チューブの先端を口金の先端より若干突出させ筆毛の折れ変形を防止することも良い。
【００１３】
またブラシの基端側外周に浸漬あるいは注型など一体成形したウレタンゴム、シリコンゴムなどの弾性材を配設すると共に該弾性材の先端を口金の先端より若干突出させ筆毛の折れ変形を防止することも良い。尚、ブラシの基端側外周には口金の先端より若干突出する部分をも含む。
【００１４】
さらに口金部が塗布棒と一体に成形することも良い。
【発明の効果】
【００１５】
本発明液状化粧料容器にあってはつぎに記載する効果を奏する。
すなわち本発明では口金が塗布棒の軸線中心に、あるいは口金を固定した塗布棒がキャップ内側の軸線中心に回転可能にしている。そのため液状化粧料を収納されたボトルにキャップを螺着する際、口金部に装着固定される無数の筆毛からなるブラシは塗布棒を垂下するキャップの回転に係わらず液状化粧料の粘性により空転する。そのためブラシに捻れ力が加わらず、捻れ等を発生させない。
【００１６】
他方口金部の先端内面および外面の角部をＲ形状に面取りすることにより筆毛がボトルの口部に引っかかって巻き込まれた状態でワイパーに引き込まれた場合、筆毛は面取りされた口金部の先端内面に沿って大きく曲げられる。そのためボトルの口部に引き込まれた筆毛は口金の角部に倣ってＲ形状に曲げられることになり塑性変形を防止する。すなわち筆毛自身の持つ復元力により元の状態に戻ることができる。
【００１７】
また口金部の先端内面とブラシとの間にウレタンゴム、シリコンゴムなどの弾性材あるいは肉薄な保護チューブを口金の先端より若干突出させて配設する。すなわち筆毛がワイパーに巻き込まれるなどして変形した場合、弾性材、保護チューブは筆毛からの応力を広い面積で受け分散し筆毛に折れ目などの塑性変形の発生を防止すると共に曲げられた筆毛の復元を補佐する。
【００１８】
したがって筆毛をワイパーと塗布棒の間に巻き込んだまま塗布部をワイパーの払拭穴を挿通しても、筆毛の外周が口金の端部に集中する鋭角な折れ曲がりをなくし応力の集中を緩和する。そのため筆毛に折れ目などの塑性変形を生ずることがなくなる。また筆毛自身が持っている復元力及び弾性材の復元力により元のブラシの状態に戻すことができる。
【発明を実施するための最良の形態】
【００１９】
以下本発明について図に基づいて説明を加える。図１、図２は本発明液状化粧料容器の第１の実施例説明図、第２の実施例説明図である。
【００２０】
図１、図２において液状化粧料容器１は液状化粧料９を保有するボトル７と、ボトル７を密閉するキャップ３からなる。キャップ３の内面には樹脂成形された内キャップ４１が嵌着され、内キャップ４１の下方内面には雌螺子６９が形成され、更にキャップ３内から外方に塗布棒２１が垂下されている。ボトル７の上端にはブラシ８１を挿脱する口部５が設けられている。口部５の外周にはキャップ３を螺合するよう雄螺子６７が形成され、口部５の内側には液状化粧料９を払拭する払拭部６１が設けられている。
【００２１】
払拭部６１にはワイパー６５が形成され中心部に塗布棒２１が挿通する払拭穴６３が設けられる。塗布棒２１の先端にはアルミニウムパイプなどの金属筒、プラスチック筒等からなる口金８５と、口金８５に挿入されたブラシ８１が設けられている。ブラシ８１は口金８５に挿入され、カシメ加工等により固定される。更に払拭穴６３は塗布棒２１の外径よりも若干小径に形成されており、塗布棒２１に付着する液状化粧料９をボトル７から引き抜く際に払拭する。同時に、ブラシ８１に付着する液状化粧料９を適量に払拭する。
【００２２】
図１（Ａ）は口金を塗布棒の軸線中心に回転可能にする第１の液状化粧料容器の組み立て図、図１（Ｂ）は図１（Ａ）の液状化粧料容器でキャップを外した説明図である。図において塗布棒２１の基端部２３はキャップ３の内側で雌螺子６９を形成する内キャップ４１の中心に形成された塗布棒嵌着部４３に挿着固定されている。塗布棒２１の先端外周は口金８５の厚さ分を細くすることで組み合わせによる段差をなくす装着部２５を設け、この装着部２５に環状溝８９を形成する。
【００２３】
口金８５は塗布棒２１の外周に形成された環状溝８９に突部８７を係合させて軸線中心に回転可能に脱落不能に嵌合させる。突部８７は塗布棒２１の先端外周に口金８５を挿着した状態で環状溝８９に合せ外周側から回転可能且つ脱落防止するよう環状に絞る巻き締め加工、ロール加工、ビード加工などがなされたものである。また口金８５には環状溝８９に合せ外周側から回転可能且つ脱落防止するようにピンカシメ加工すること等も良い。
【００２４】
図２は口金を固定した塗布棒がキャップの内側の軸線中心に回転可能に垂下する第２の液状化粧料容器の組み立て図である。図において塗布棒２２の基端部２４はキャップ３の内側で雌螺子６９を形成する内キャップ４２の中心に形成された塗布棒嵌着部４３に回転可能に挿着されている。塗布棒２の先端外周は図１と同様に口金８５の厚さ分を細くして組み合わされ段差をなくす装着部２６を形成する。
【００２５】
キャップ３の内側に雌螺子６９を形成する内キャップ４２の軸中心位置には塗布棒嵌合部４４が設けられ、塗布棒２２の基端部２４が回転可能に嵌合されている。塗布棒嵌合部４４の下部に位置する開口端にはアンダーカット部４５が形成され、基端部２４の外周に形成された環状溝２７に係合させて回転可能に脱落可能に装着する。
【００２６】
また図１、図２ではブラシ８１の基端側は外周をポリイミド等の合成樹脂製極薄の保護チューブ８３で被覆されている。弾性材(図示せず)による被覆は口金８５，口金８６に装着固定される際、ブラシ８１を構成する筆毛がワイパー６５に巻き込まれるなどしてもブラシ８１から飛び出すような折れ毛等が生じないようにする。すなわち筆毛がワイパー６５に巻き込まれるなどして変形しても筆毛からの応力を広い面積で受けて分散し筆毛に折れ毛などの発生を防止し、曲げられた筆毛を弾性力により復元可能にする。これにより化粧料を目元、口元、爪等に塗布する場合、ブラシ８１の外側に不規則にはみ出した折れ毛１７、前記した筆毛の曲がりや捻れにより輪郭が上手に描けなくなるといった致命的な欠陥がなくすことができる。
【００２７】
筆毛からの応力を広い面積で受ける他の手段としては口金８５、口金８６の先端の内面および外面の角部をＲ面取りする手段、弾性材をブラシ８１の外周に浸漬、注型する等の手段がある。
【００２８】
口金８５、口金８６の先端の内面および外面の角部を面取りする手段にあっては、ブラシ８１を構成する筆毛がワイパー６５に巻き込まれた場合、巻き込まれた筆毛は面取りされた口金８５の先端に沿って曲げられる。その場合ボトルの口部に引き込まれた筆毛はＲ形状に倣って曲げられることになり塑性変形は防止される。
【００２９】
また保護チューブ８３あるいは弾性材(図示せず)をブラシ８１の外周に被覆する手段にあっては、口金とブラシ８１との間に弾性材あるいは肉薄の保護チューブ８３を配設する。ここで弾性材あるいは保護チューブ８３は口金の先端より若干突出される。そのためブラシ８１を形成する筆毛がワイパー６５に巻き込まれた場合、口金の先端で弾性材、保護チューブ８３が変形することによって生ずる広い接触面積を介して曲げられ塑性変形は防止される。
すなわち曲げられた筆毛は筆毛自身の持つ復元力に保護チューブあるいは弾性材の復元力が加わり元の状態に戻ることができる。
【００３０】
以上説明の通り本発明の液状化粧料容器１は塗布棒２１、２２あるいはブラシ８１を固定する口金８５、口金８６をキャップ３の軸心を中心に回転可能とすることにより筆毛の折れや捻れ等をなくすることができる。更に本発明の
液状化粧料容器１では塗布中にもブラシ８１が回転してしまうのであるが、液状口紅、リップグロス、アイライナー、マニキュアなどはブラシ８１を回転させながら塗布することはないため違和感なく使用できる。また、多少ブラシ８１に捻りが加わったとしてもボトル７の口部５でブラシ８１を整える事により簡単に修正できる。したがって、本発明の液状化粧料容器は繰り返し使用しても、半永久的にブラシを形成する筆毛の折れや捻れが発生することなく使用できる。
【図面の簡単な説明】
【００３１】
【図１】本発明液状化粧料容器の第１の実施例説明図である。
【図２】本発明液状化粧料容器の第２の実施例説明図である。
【符号の説明】
【００３２】
１・・・液状化粧料容器
３・・・キャップ
５・・・口部
７・・・ボトル
９・・・液状化粧料
２１・・塗布棒
２２・・塗布棒
２３・・基端部
２４・・基端部
２５・・装着部
２６・・装着部
２７・・環状溝
４１・・内キャップ
４２・・内キャップ
４３・・塗布棒嵌着部
４４・・塗布棒嵌合部
４５・・アンダーカット部
６１・・払拭部
６３・・払拭穴
６５・・ワイパー
６７・・雄螺子
６９・・雌螺子
８１・・ブラシ
８３・・保護チューブ
８５・・口金
８６・・口金
８７・・突部
８９・・環状溝
【図１】
2008022951.tif 000003
【図２】
2008022951.tif 000004